(57)【要約】【課題】構造が簡単であり、操作が便利であり、また施工の利便性を向上可能なニードル式柱検出装置を提供する。【解決手段】一つの中空殻体と、一つの探測ユニットと、一つの復位弾性部材７０と、を備える。探測ユニットは、一つの探針座体４０、一つの探針５０および一つの可動アセンブリ６０を有する。探針座体４０は、中空殻体の中に設けられている。探針５０は、一つの針頭部５２および一つの針先部５３を有する。針頭部５２は、探針座体４０に固定されている。針先部５３は、中空殻体の外部まで延出している。可動アセンブリ６０は、軸方向に移動可能に中空殻体の一端に設置されており、一つの探針孔を有する。探針孔は、探針５０の針先部５３に嵌接されている。復位弾性部材７０は、中空殻体の中に設けられており、探針座体４０と可動アセンブリ６０との間に当接している。【選択図】図２
0003191834.tif 000002
【実用新案登録請求の範囲】
【請求項１】
一つの中空殻体と、一つの探測ユニットと、一つの復位弾性部材と、を備え、
前記探測ユニットは、一つの探針座体、一つの探針および一つの可動アセンブリを有し、
前記探針座体は、前記中空殻体の中に設けられており、
前記探針は、一つの針頭部および一つの針先部を有し、
前記針頭部は、前記探針座体に固定されており、
前記針先部は、前記中空殻体の外部まで延出しており、
前記可動アセンブリは、軸方向に移動可能に前記中空殻体の一端に設置されており、一つの探針孔を有し、
前記探針孔は、前記探針の前記針先部に嵌接されており、
前記復位弾性部材は、前記中空殻体の中に設けられており、前記探針座体と可動アセンブリとの間に当接していることを特徴とするニードル式柱検出装置。
【請求項２】
前記可動アセンブリの前記探針孔は、一つの入口端および一つの出口端を有し、
前記入口端は、前記出口端の孔径より大きく形成されている孔径を有し、
前記復位弾性部材は、一端が前記探針孔の入口端の孔壁に当接していることを特徴とする請求項１に記載のニードル式柱検出装置。
【請求項３】
前記中空殻体の一端は、一つの位置決め孔および前記位置決め孔に隣設された一つの内側凸縁を有し、
前記可動アセンブリの一端は、回転可能に前記中空殻体の中に設置されており、一つの位置決め凸部を有し、
前記位置決め凸部は、前記中空殻体の内側凸縁に当接しており、分離可能に前記中空殻体の位置決め孔に嵌接されていることを特徴とする請求項１に記載のニードル式柱検出装置。
【請求項４】
前記中空殻体の内周面は、一つの位置制限凸部を有し、
前記探針座体の外周面は、一つの位置制限溝を有し、
前記位置制限溝は、前記中空殻体の位置制限凸部に嵌接されていることを特徴とする請求項１に記載のニードル式柱検出装置。
【請求項５】
前記探針座体の外周面は、一つの針収容溝を有することを特徴とする請求項１に記載のニードル式柱検出装置。
【請求項６】
前記探針座体は、一つの端壁および前記端壁を貫通する一つの貫通孔を有し、
前記探針は、前記探針座体の端壁の貫通孔に穿設されている針本体を有し、前記針本体の先端がラジアル方向の外側へ伸び前記針頭部を形成し、前記針頭部が前記探針座体の端壁に嵌接されており、前記針本体の底部が軸方向の外側へ伸び前記針先部を形成することを特徴とする請求項１に記載のニードル式柱検出装置。
【請求項７】
前記探測ユニットは、一つ支持管を有し、
前記支持管は、前記探針の針本体に覆設されており、前記探針座体に固定されており、
前記復位弾性部材は、前記支持管に覆設されていることを特徴とする請求項６に記載のニードル式柱検出装置。
【請求項８】
前記探測ユニットは、一つの押板を有し、前記押板が前記探針の針頭部を押圧し、
前記中空殻体は、一つの端部蓋を有し、前記端部蓋の底部が一つの延伸棒を有し、前記延伸棒の端部が前記押板を押圧することを特徴とする請求項６に記載のニードル式柱検出装置。
【考案の詳細な説明】
【技術分野】
【０００１】
本考案は、柱検出装置に関し、特に、簡単な構造、また便利な操作を有するニードル式柱検出装置に関する。
【背景技術】
【０００２】
従来、石膏ボードが使用されている壁に、螺子、釘、あるいは他の固定部材を使って固定作業を行う時、前述の固定部材の安定性を確保するために、壁の内部に隠れている支柱に前述の固定部材を確実に固定する必要がある。
【０００３】
よって、固定作業の前に、事前に支柱に関する位置情報を獲得しないと、支柱の位置を確認することに多くの時間および精力が浪費される。これは、施工効率に影響を与えるだけではなく、支柱位置を確認する過程において、壁の構造を損壊する可能性がある。
【考案の概要】
【考案が解決しようとする課題】
【０００４】
本考案は、上述の問題に鑑みてなされたものであり、その目的は、構造が簡単であり、操作が便利であり、また施工の利便性を向上可能なニードル式柱検出装置を提供することにある。
【課題を解決するための手段】
【０００５】
上述の目的を達成するために、本考案のニードル式柱検出装置は、一つの中空殻体と、一つの探測ユニットと、一つの復位弾性部材と、を備える。探測ユニットは、一つの探針座体、一つの探針および一つの可動アセンブリを有する。探針座体は、中空殻体の中に固定されている。探針は、一つの針頭部および一つの針先部を有する。針頭部は、探針座体に固定されている。針先部は、中空殻体から延出している。可動アセンブリは、軸方向に移動可能に中空殻体の一端に設置されており、一つの探針孔を有する。探針孔は、探針の針先部に嵌接されている。復位弾性部材は、中空殻体の中に設けられ、探針座体と可動アセンブリとの間に当接されており、可動アセンブリに復位力を提供する。作業員が壁の表面に可動アセンブリを押圧する時、探針の針先部が順調に壁を貫通する場合、押圧位置の後ろに支柱がないと判断する。逆に、探針の針先部が壁を貫通できない場合、押圧位置の後ろに支柱があると判断する。
【０００６】
中空殻体の一端は、一つの位置決め孔および位置決め孔に隣設された一つの内側凸縁を有する。可動アセンブリの一端は、回転可能に中空殻体の中に設置され、一つの位置決め凸部を有する。位置決め凸部は、中空殻体の内側凸縁に当接されており、また分離可能に中空殻体の位置決め孔に嵌接されている。よって、可動アセンブリが使用されない場合、軸方向に中空殻体に対する相対移動ができないため、探針の針先部に刺されるリスクが低減され、使用上の安全性が向上する。
【０００７】
中空殻体の内周面は、一つの位置制限凸部を備える。探針座体の外周面は、一つの位置制限溝を備える。位置制限溝は、ハンドルの位置制限凸部に嵌接されているため、探針座体が中空殻体に対する相対回転を制限することができる。
【０００８】
探針座体の外周面は、探針を置くための少なくとも一つの針収容溝を有する。
【図面の簡単な説明】
【０００９】
【図１】本考案の第一実施形態によるニードル式柱検出装置を示す斜視図である。
【図２】本考案の第一実施形態によるニードル式柱検出装置を示す分解斜視図である。
【図３】本考案の第一実施形態による可動アセンブリの位置決め凸部が中空殻体の位置決め孔に嵌接されていることを示す断面図である。
【図４】本考案の第一実施形態による可動アセンブリの位置決め凸部が中空殻体の位置決め孔から脱離していることを示す断面図である。
【図５】本考案の第一実施形態による探針の針先部が壁を貫通することを示す断面図である。
【図６】本考案の第一実施形態による探針の針先部が壁を貫通できないことを示す断面図である。
【考案を実施するための形態】
【００１０】
（一実施形態）
図１〜図３に示すように、本考案の一実施形態によるニードル式柱検出装置１０は、一つの中空殻体２０と、一つの探測ユニット３０と、一つの復位弾性部材７０と、を備える。
【００１１】
中空殻体２０は、一つのハンドル２１を有する。ハンドル２１の底部は、相対する二つの位置決め孔２２および位置決め孔２２に隣設された一つ内側凸縁２３（図３に示すように）を有する。また、ハンドル２１の内周面は、相対する二つの位置制限凸部２４を有する。中空殻体２０は、一つの端部蓋２５を有する。端部蓋２５は、ハンドル２１の先端に螺設され、またハンドル２１内に入る延伸棒２６を有する。
【００１２】
探測ユニット３０は、一つの探針座体４０、一つの探針５０および一つの可動アセンブリ６０を有する。
【００１３】
探針座体４０は、一つの端壁４１および端壁４１を貫通する貫通孔４２を有する。図３に示すように、端壁４１の外側面は、外側へ伸び、一つのスリーブ管部４３に形成されている。スリーブ管部４３は、同軸に端壁４１の貫通孔４２に対応し、支持管４４に嵌接されている。また、探針座体４０は、端壁４１に周設されている一つの周壁４５を有する。周壁４５の外周面は、相対する二つの位置制限溝４６を有する。位置制限溝４６は、中空殻体２０のハンドル２１の位置制限凸部２４に嵌接されている。よって、探針座体４０は、中空殻体２０のハンドル２１の中に組み付けられると、中空殻体２０に対する相対回転ができない。
【００１４】
探針５０は、針本体５１を有する。針本体５１の先端は、ラジアル方向の外側へ伸び、針頭部５２を形成する。針本体５１の底部は、軸方向の外側へ伸び、針先部５３を形成する。組立ての時、図３に示すように、探針５０は、針本体５１により、探針座体４０の端壁４１の貫通孔４２から支持管４４に穿設されている。針頭部５２は、探針座体４０の端壁４１の内側面に嵌接され、一つの押し板５４に押圧されている。押し板５４は、中空殻体２０の端部蓋２５の延伸棒２６に押圧されている。組立て完成の後、探針５０の針先部５３は、中空殻体２０のハンドル２１の底部から突き出す。
【００１５】
可動アセンブリ６０は、軸方向に移動可能に、また回転可能に中空殻体２０のハンドル２１の中に設置され、また図３に示すように探針５０の針先部５３に嵌設するための一つの探針孔６１を有する。探針孔６１は、一つの入口端６２および一つの出口端６３を有する。入口端６２の孔径は、出口端６３の孔径より大きい。また、可動アセンブリ６０の外周面は、相対する二つの位置決め凸部６４を有する。二つの位置決め凸部６４は、中空殻体２０のハンドル２１の内側凸縁２３に当接されており、可動アセンブリ６０が中空殻体２０のハンドル２１の底部から脱落することを回避可能である。可動アセンブリ６０の位置決め凸部６４が中空殻体２０のハンドル２１の位置決め孔２２に嵌接されている時、図３に示すように、可動アセンブリ６０が軸方向に中空殻体に対する相対移動ができないため、探針５０の針先部５３は、可動アセンブリ６０の探針孔６１の中に保持している。よって、使用者が探針５０に刺されることが回避されている。可動アセンブリ６０の位置決め凸部６４が中空殻体２０のハンドル２１の位置決め孔２２から脱離する時、図４に示すように、可動アセンブリ６０が軸方向に中空殻体に対する相対移動ができるため、探針５０の針先部５３は、可動アセンブリ６０の探針孔６１から突き出す。
【００１６】
復位弾性部材７０は、中空殻体２０の中に位置し、探針座体４０のスリーブ管部４３および支持管４４に嵌接され、可動アセンブリ６０に復位力を提供し、探針座体４０と可動アセンブリ６０の探針孔６１の入口端６２の壁面との間に当接されている。
【００１７】
実際操作の時、まず使用者が可動アセンブリ６０を回転すると、可動アセンブリ６０の位置決め凸部６４は、中空殻体２０の位置決め孔２２から脱離する。図４に示すように、次に使用者が可動アセンブリ６０を壁１２の表面に押圧すると、押圧位置の後ろに支柱がない場合、図５に示すように、可動アセンブリ６０が中空殻体２０のハンドル２１の中に入るため、探針５０の針先部５３は、可動アセンブリ６０の探針孔６１から突き出し、順調に壁１２を貫通可能となる。逆に、図６に示すように、探針５０の針先部５３が壁１２の後ろに隠れる支柱１４に触れる時、探針５０の針先部５３が壁１２を貫通できないため、可動アセンブリ６０は、軸方向に中空殻体２０に対する相対移動ができない。
【００１８】
一つあるいは複数の針収容溝４７は、実際の需要に応じて探針座体４０の周壁４５の外周面に設置してもよい。図２に示すように、使用者は、損壊した探針５０を取り替えるために、針収容溝４７に、一つあるいは複数の探針５０を置く。
【００１９】
ニードル式柱検出装置１０は、構造が簡単であり、操作が便利である特徴を有し、使用者が迅速に支柱１４の位置を把握することができ、壁１２の表面に固定部材を固定する作業の利便性を向上することができる。
【符号の説明】
【００２０】
１０  ニードル式柱検出装置、
１２  壁、
１４  支柱、
２０  中空殻体、
２１  ハンドル、
２２  位置決め孔、
２３  内側凸縁、
２４  位置制限凸部、
２５  端部蓋、
２６  延伸棒、
３０  探測ユニット、
４０  探針座体、
４１  端壁、
４２  貫通孔、
４３  スリーブ管、
４４  支持管、
４５  周壁、
４６  位置制限溝、
４７  針収容溝、
５０  探針、
５１  針本体、
５２  針頭部、
５３  針先部、
５４  押板、
６０  可動アセンブリ、
６１  探針孔、
６２  入口端、
６３  出口端、
６４  位置決め凸部、
７０  復位弾性部材。
【図１】
0003191834.tif 000003
【図２】
0003191834.tif 000004
【図３】
0003191834.tif 000005
【図４】
0003191834.tif 000006
【図５】
0003191834.tif 000007
【図６】
0003191834.tif 000008